(57)【要約】【課題】ペットのニオイを効率よく、かつ、健康に悪影響を及ぼすことなく除去することができるペット用アクセサリを提供する。【解決手段】ペット用アクセサリ１００は、ペット動物の首回りに装着するために、環状に連結可能な紐部１を備える。紐部１を構成するゴム材には、遠赤外線を発する天然鉱石の粉末が練り込まれている。天然鉱石が発する遠赤外線は、４μｍ以上１４μｍ以下の波長の成分を含んでいる。この遠赤外線が、ペット動物の体内の細胞の活性化や水クラスタの分解を促し、ニオイ物質の体外排出を容易にする。【選択図】図１
0003178292.tif 000002
【実用新案登録請求の範囲】
【請求項１】
ペット動物の首回りに装着するために、環状に連結可能な紐部を備え、
前記紐部を構成するゴム材に、遠赤外線を発する天然鉱石の粉末が練り込まれている、  ペット用アクセサリ。
【請求項２】
前記天然鉱石が発する遠赤外線は、４μｍ以上１４μｍ以下の波長の成分を含む、
ことを特徴とする請求項１に記載のペット用アクセサリ。
【考案の詳細な説明】
【技術分野】
【０００１】
この考案は、ペット用アクセサリに関する。
【背景技術】
【０００２】
犬や猫などをペットとして飼う飼い主の関心事の１つにペットのニオイがある。このため、ペットのニオイを消す消臭剤などが開示されている（例えば、特許文献１参照）。
【先行技術文献】
【特許文献】
【０００３】
【特許文献１】特開２００７−２２９１５１号公報
【考案の概要】
【考案が解決しようとする課題】
【０００４】
ペットのニオイの要因は、例えば、体内に蓄積される老廃物、有害物等のいわゆるニオイ物質である。体内のニオイ物質を効率良く除去できれば、上記特許文献１に開示された消臭剤などを用いなくても、ペットのニオイの原因を元から断つことができる。
【０００５】
本考案は、上記実情に鑑みてなされたものであり、ペットのニオイを効率よく、かつ、健康に悪影響を及ぼすことなく除去することができるペット用アクセサリを提供することを目的とする。
【課題を解決するための手段】
【０００６】
上記目的を達成するために、本考案に係るペット用アクセサリは、
ペット動物の首回りに装着するために、環状に連結可能な紐部を備え、
前記紐部を構成するゴム材に、遠赤外線を発する天然鉱石の粉末が練り込まれている。
【０００７】
この場合、前記天然鉱石が発する遠赤外線は、４μｍ以上１４μｍ以下の波長の成分を含むこととしてもよい。
【考案の効果】
【０００８】
本考案に係るペット用アクセサリをペット動物に装着すると、紐部に練り込まれた天然鉱石の粉末からペット動物の首すじに対して遠赤外線が発せられる。ペット動物の体内に入り込んだ遠赤外線は動物の首すじの体表周辺に含まれる水分を振動させる。これにより、ペット動物の首すじ周辺の体温が上昇し、細胞が活性化する。また、ペット動物の体内に入り込んだ遠赤外線は、ペット動物の体内の水分子の集団である水クラスタを細かく分解する。これにより、水クラスタ内部に閉じこめられた老廃物等のニオイの原因となるニオイ物質を分離抽出することができる。
【０００９】
細胞の活性化と水クラスタの分解の結果、ニオイ物質は、尿や便に含まれた状態で、ペット動物の対外に排出され易くなる。この結果、ペットのニオイを効率よく、かつ、健康に悪影響を及ぼすことなく除去することができる。
【図面の簡単な説明】
【００１０】
【図１】この考案の実施の形態に係るペット用アクセサリの全体的な構成を示す上面図である。
【図２】コネクタ（雄側）の斜視図である。
【図３】コネクタ（雌側）の斜視図である。
【図４】紐部を伸ばした状態の図である。
【図５】ペット動物にペット用アクセサリを装着した状態を示す図である。
【図６】遠赤外線を照射した水クラスタのＮＭＲスペクトルの半値幅を示すグラフである。
【図７】水クラスタがニオイ物質を閉じこめた様子を説明するための図である。
【図８】水クラスタが分解された様子を説明するための図である。
【考案を実施するための形態】
【００１１】
本考案の実施の形態について、図面を参照して詳細に説明する。
【００１２】
図１には、この実施の形態１に係るペット用アクセサリ１００の全体構成が示されている。ペット用アクセサリ１００は、ペット動物の首回りに装着される。
【００１３】
図１に示すように、ペット用アクセサリ１００は、紐部１と、連結部２とを備える。
【００１４】
紐部１は、ゴム材で構成されている。このため、紐部１は柔軟で曲がりやすく、かつ、伸縮可能である。紐部１では、これを構成するゴム材に遠赤外線を発する天然鉱石の粉末（パウダー状にしたもの）が練り込まれている。天然鉱石が発する遠赤外線は、４μｍ以上１４μｍ以下の波長の成分を含んでいる。
【００１５】
この天然鉱石には、７０種類以上の元素が含まれている。例えば、この天然鉱石に含まれる成分には、リチウム（Ｌｉ）、ベリリウム（Ｂｅ）、ホウ素（Ｂ）、ナトリウム（Ｎａ）、マグネシウム（Ｍｇ）、アルミニウム（Ａｌ）、珪素（Ｓｉ）、リン（Ｐ）、カリウム（Ｋ）、カルシウム（Ｃａ）、スカンジウム（Ｓｃ）、タリウム（Ｔｌ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、ガリウム（Ｇａ）、ゲルマニウム（Ｇｅ）、ヒ素（Ａｓ）、セレン（Ｓｅ）、臭素（Ｂｒ）、ルビジウム（Ｒｂ）、ストロンチウム（Ｓｒ）、イットリウム（Ｙ）、ジルコニウム（Ｚｒ）、ニオブ（Ｎｂ）、モリブデン（Ｍｏ）、ルテニウム（Ｒｕ）、ロジウム（Ｒｈ）、パラジウム（Ｐｄ）、銀（Ａｇ）、カドミウム（Ｃｄ）、インジウム（Ｉｎ）、スズ（Ｓｎ）、アンチモン（Ｓｂ）、テルル（Ｔｅ）、ヨウ素（Ｉ）、セシウム（Ｃｓ）、バリウム（Ｂａ）、ハフニウム（Ｈｆ）、タンタル（Ｔａ）、タングステン（Ｗ）、レニウム（Ｒｅ）、オスミウム（Ｏｓ）、イリジウム（Ｉｒ）、白金（Ｐｔ）、金（Ａｕ）、水銀（Ｈｇ）、タリウム（Ｔｌ）、鉛（Ｐｂ）、ビスマス（Ｂｉ）、ランタン（Ｌａ）、セリウム（Ｃｅ）、プラセオジウム（Ｐｒ）、ネオジム（Ｎｄ）、サマリウム（Ｓｍ）、ユウロピウム（Ｅｕ）、ガドリニウム（Ｇｄ）、テルビウム（Ｔｂ）、ジスプロニウム（Ｄｙ）、ホルミウム（Ｈｏ）、エルビウム（Ｅｒ）、ツリウム（Ｔｍ）、イッテルビウム（Ｙｂ）、ルテチウム（Ｌｕ）、トリウム（Ｔｈ）などがある。
【００１６】
連結部２は、図２に示すコネクタ２Ａと、図３に示すコネクタ２Ｂとを備えている。コネクタ２Ａが雄型のコネクタであり、コネクタ２Ｂが雌型のコネクタである。コネクタ２Ａ、２Ｂが連結されることにより、ペット用アクセサリ１００は、図１に示すように環状となる。ペット用アクセサリ１００は、環状の状態でペット動物の首回りに装着される。
【００１７】
また、ペット用アクセサリ１００では、紐部１は、数本のゴム紐がスライド可能に連結されている。各ゴム紐をずらすことにより、図４に示すように、周の長さを調節することができる。
【００１８】
ペット用アクセサリ１００は、図５に示すように、例えば、ペット動物としての犬１０の首に装着される。これにより、紐部１から発せられる遠赤外線が、犬１０の首すじに照射されるようになる。この遠赤外線が、以下の理由により、犬１０の体内に含まれる老廃物、有害物質等のニオイ物質の排除を促し、結果的に犬１０のニオイを元から断つことができる。
【００１９】
（水クラスタの分解によるニオイ物質の除去）
水道水等の水に４μｍ以上１４μｍ以下の遠赤外線を照射すると、水道水に含まれる水クラスタが小さくなることが知られている。
【００２０】
水クラスタの大きさは、例えばＮＭＲ（核磁気共鳴）法で測定することができる。ＮＭＲ法による測定では、水分の持つスペクトル成分を求めることができる。このスペクトル成分の半値幅が小さければ、その水分に含まれる水クラスタの大きさが小さいことを示している。
【００２１】
図６には、遠赤外線を照射した水分のＮＭＲスペクトルが示されている。図６に示すように、遠赤外線を照射した水分のＮＭＲスペクトルの半値幅（ピークの高さの１／２の部分の幅）は、８５Ｈｚであった。一般の水道水のＮＭＲスペクトルの半値幅は、約１５０Ｈｚであるため、遠赤外線の照射により、水クラスタが分解され、小さくなることが証明されている。
【００２２】
巨大な水クラスタは、ペット動物の体内において、老廃物等のニオイ物質を閉じこめた状態で形成されることがある。図６には、複数の水分子５が集合して形成された巨大な水クラスタ６が、老廃物等のニオイ物質７を閉じこめている様子が示されている。
【００２３】
ペット用アクセサリ１００から発せられる遠赤外線は、水クラスタを細かく分解する作用を有する。図７に示すように、水クラスタ６が細かく分解されると、中に閉じこめられたニオイ物質７は、水クラスタ６から分離抽出される。
【００２４】
体内の水分の水クラスタ６を小さくすれば、細胞膜への水分の出入り（浸透）が容易になる。この結果、細胞への栄養補給や老廃物等のニオイ物質の排出もスムーズに行くようになる。この結果、細胞の代謝をさらに活発化することができる。
【００２５】
ペット用アクセサリ１００を装着したままとすれば、水クラスタ６が体内で再び巨大化するおそれはない。このため、ニオイ物質が再び巨大な水クラスタ６に閉じこめられることもない。
【００２６】
（体表面近傍の細胞の活性化によるニオイ物質の除去）
また、ペット用アクセサリ１００から発せられる遠赤外線は、動物の体表面付近の水分を振動させる。遠赤外線の周波数が、水の共振周波数に近いためである。この振動による水分子の玉突き現象が熱源となって動物の体表近くの部分の温度が高くなると、血行が良くなり、栄養素等が体内の隅々まで行き渡るようになり、細胞が活性化されて、老廃物等のニオイ物質の排出が促進される。
【００２７】
以上詳細に説明したように、本実施の形態によれば、ペット用アクセサリ１００をペット動物に装着すると、紐部１に練り込まれた天然鉱石の粉末からペット動物の首すじに対して遠赤外線が発せられる。
【００２８】
ペット動物の体内に入り込んだ遠赤外線は動物の首すじの体表周辺に含まれる水分を振動させる。これにより、ペット動物の首すじ周辺の体温が上昇し、細胞が活性化する。また、ペット動物の体内に入り込んだ遠赤外線は、ペット動物の体内の水分子５の集団である水クラスタ６を細かく分解する。これにより、水クラスタ６の内部に閉じこめられた老廃物等のニオイの原因となるニオイ物質７を分離抽出することができる。
【００２９】
細胞の活性化と水クラスタ６の分解の結果、ニオイ物質７は、尿や便に含まれた状態で、ペット動物の対外に排出され易くなる。この結果、ペットのニオイを効率よく、かつ、健康に悪影響を及ぼすことなく除去することができる。
【００３０】
老廃物、有害物質等のニオイ物質を体外に効率良く除去することができれば、体内の新陳代謝等も円滑に進み、ペット動物の健康状態を良好なものとすることができる。この結果、ペット動物の寿命を延ばすこともできる。遠赤外線は、動物には無害であり、紫外線のように、それにより健康を損ねることもない。
【００３１】
このように、本実施形態に係るペット用アクセサリ１００は、遠赤外線をペット動物の首すじに放射することにより、ペット動物の体臭を除去することができるうえ、その健康状態を良好なものとすることができる。結果的に、ペット動物のアレルギー症状の改善、アンチエイジング、抜け毛の防止、疲労回復、免疫力の向上、排尿排便の脱臭なども実現することが可能である。
【００３２】
なお、上記実施の形態では、紐部１に組み込まれる天然鉱石の成分を示しているが、この他の成分が含まれていても良いし、上述した成分が一部なくてもよい。要は、遠赤外線を発する天然鉱石であればよい。
【００３３】
また、ペット用アクセサリ１００の形態も図１乃至図４に示されるものには限られない。例えば、紐部１は、一本の紐で構成されていてもよい。紐部１の太さ、長さは、適用されるペット動物の首回り等によって適宜調整することができる。
【００３４】
この考案は、この考案の広義の精神と範囲を逸脱することなく、様々な実施の形態及び変形が可能とされるものである。また、上述した実施の形態は、この考案を説明するためのものであり、この考案の範囲を限定するものではない。すなわち、この考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００３５】
この考案は、犬や猫のペット用アクセサリとして好適である。
【符号の説明】
【００３６】
１    紐部
２    連結部
２Ａ、２Ｂ    コネクタ
５    水分子
６    水クラスタ
７    ニオイ物質
１０    犬
１００    ペット用アクセサリ
【図１】
0003178292.tif 000003
【図２】
0003178292.tif 000004
【図３】
0003178292.tif 000005
【図４】
0003178292.tif 000006
【図５】
0003178292.tif 000007
【図６】
0003178292.tif 000008
【図７】
0003178292.tif 000009
【図８】
0003178292.tif 000010